【手続補正書】
【提出日】平成20年12月8日(2008.12.8)
【手続補正１】
【補正対象書類名】特許請求の範囲
【補正対象項目名】全文
【補正方法】変更
【補正の内容】
【特許請求の範囲】
【請求項１】
表示装置を備えるコンピュータシステムにおいて、
アプリケーションのためのリッチプレゼンテーションタスクバーボタンを作成するステップであって、前記作成するステップは処理を行う前記アプリケーションに関係なく起こり、前記リッチプレゼンテーションタスクバーボタンは前記アプリケーションの複数の機能を制御可能である、前記作成するステップと、
前記アプリケーションから前記リッチプレゼンテーションタスクバーボタンの中に表示されるべき内容を受け取るステップであって、前記表示されるべき内容は、前記アプリケーションと関連付けられ、および前記アプリケーションによって作成された表示要素を含む受け取るステップと、
前記リッチプレゼンテーションタスクバーボタンを表示するステップであって、前記表示されたリッチプレゼンテーションタスクバーボタンは、前記アプリケーションによって作成された前記表示要素を含む表示するステップと
を備えたことを特徴とするタスクバー上にタスクバーボタンを表示する方法。
【請求項２】
請求項１に記載の方法において、前記表示要素は動的情報であることを特徴とする方法。
【請求項３】
請求項２に記載の方法において、前記動的情報は、セキュリティ情報、天気情報、スポーツ情報、ニュース情報、オークション情報、インスタントメッセージング情報、アプリケーションステータス情報およびバディリスト情報で構成されるグループから選択されることを特徴とする方法。
【請求項４】
請求項３に記載の方法において、前記動的情報は、進行メータを含むアプリケーションステータス情報であり、前記進行メータは、前記アプリケーションによって実行される動作の進行状況を積極的に表示する進行バーを含むことを特徴とする方法。
【請求項５】
請求項３に記載の方法において、前記動的情報は、会話スレッドの一部を含むインスタントメッセージング情報であることを特徴とする方法。
【請求項６】
請求項１に記載の方法において、前記表示要素は、前記リッチプレゼンテーションタスクバーボタンの中のユーザ入力を受け取ることを特徴とする方法。
【請求項７】
請求項６に記載の方法において、前記リッチプレゼンテーションタスクバーボタンの中の前記少なくとも１つの表示要素を通じて受け取られる前記ユーザ入力は、入力されたテキスト情報であることを特徴とする方法。
【請求項８】
請求項１に記載の方法において、前記表示要素は、前記アプリケーションの動作を制御するための少なくとも１つの表示要素を含むことを特徴とする方法。
【請求項９】
請求項８に記載の方法において、前記少なくとも１つの表示要素を選択するステップをさらに備え、前記少なくとも１つの表示要素を選択することにより、前記アプリケーションが対応する動作を実行することを特徴とする方法。
【請求項１０】
請求項９に記載の方法において、前記アプリケーションはメディアプレイヤアプリケーションであり、前記少なくとも１つの表示要素はトランスポート制御を含むことを特徴とする方法。
【請求項１１】
請求項１０に記載の方法において、前記トランスポート制御を選択すると、前記メディアプレイヤアプリケーション上のメディア情報が制御されることを特徴とする方法。
【請求項１２】
請求項１に記載の方法において、前記アプリケーションに対応するサムネイル内容情報を受け取るステップと、前記サムネイル内容情報に対応するサムネイルを表示するステップとをさらに備えたことを特徴とする方法。
【請求項１３】
請求項１２に記載の方法において、前記サムネイルは、前記リッチプレゼンテーションタスクバーボタンに隣接して表示されることを特徴とする方法。
【請求項１４】
請求項１２に記載の方法において、前記サムネイルを表示するステップは、カーソルが前記リッチプレゼンテーションタスクバーボタン上の所定の位置上にあるときに実行されることを特徴とする方法。
【請求項１５】
請求項１４に記載の方法において、前記カーソルが前記所定の場所から移動されるとき、前記表示されていたサムネイルを消すステップをさらに備えたことを特徴とする方法。
【請求項１６】
請求項１４に記載の方法において、前記表示されたサムネイルは、前記カーソルが前記所定の場所から移動されたとき、表示されたまま残ることを特徴とする方法。
【請求項１７】
請求項１６に記載の方法において、所定の表示要素が選択された後、前記表示されているサムネイルを消すステップをさらに備えたことを特徴とする方法。
【請求項１８】
請求項１に記載の方法において、シンプルタスクバーボタンである少なくとも１つのすでに表示されているタスクバーボタンを有する、前記リッチプレゼンテーションタスクバーボタンを表示するステップをさらに備えたことを特徴とする方法。
【請求項１９】
請求項１８に記載の方法において、前記リッチプレゼンテーションタスクバーボタンは、前記シンプルタスクバーボタンと略同じサイズで表示されることを特徴とする方法。
【請求項２０】
請求項１８に記載の方法において、前記シンプルタスクバーボタンは、前記リッチプレゼンテーションタスクバーボタンより小さなサイズで表示されることを特徴とする方法。
【請求項２１】
請求項１８に記載の方法において、少なくとも２つのシンプルタスクバーボタンが表示され、前記少なくとも２つのシンプルタスクバーボタンは、タスクバーボタン統合によって結合されることを特徴とする方法。
【請求項２２】
請求項１８に記載の方法において、前記リッチプレゼンテーションタスクバーボタンが表示されているとき、少なくとも１つのシンプルタスクバーボタンがオーバーフローメニューに設置されていることを特徴とする方法。
【請求項２３】
請求項１に記載の方法において、前記アプリケーションのためのシンプルタスクバーボタンを作成するステップをさらに備え、前記表示するステップは、前記アプリケーションに対応するウィンドウの少なくとも一部が前記ディスプレイ上で見えないときだけ、前記リッチプレゼンテーションタスクバーボタンを表示するステップをさらに備えたことを特徴とする方法。
【請求項２４】
請求項２３に記載の方法において、前記アプリケーションに対応するウィンドウがディスプレイ上で見えるときのみ、前記シンプルタスクバーボタンを表示するステップをさらに備えたことを特徴とする方法。
【請求項２５】
請求項２３に記載の方法において、
前記ディスプレイ上に前記アプリケーションに対応するウィンドウを表示するステップと、
前記ディスプレイ上に前記アプリケーションに対応するウィンドウを表示した後に、表示されていたリッチプレゼンテーションタスクバーボタンの代わりにシンプルタスクバーボタンを表示するステップと
を備えたことを特徴とする方法。
【請求項２６】
請求項２５に記載の方法において、
前記アプリケーションに対応する前記ウィンドウの少なくとも一部の表示を取り除くステップと、
前記取り除くステップの後に、前記シンプルタスクバーボタンの代わりに前記リッチプレゼンテーションタスクバーボタンを表示するステップと
をさらに備えたことを特徴とする方法。
【請求項２７】
請求項１に記載の方法において、
前記アプリケーションのためのシンプルタスクバーボタンを作成するステップと、
前記アプリケーションに対応するウィンドウが前記ディスプレイ上に表示されていれば、前記表示されているリッチプレゼンテーションタスクバーボタンの代わりに前記シンプルタスクバーボタンを表示するステップと
をさらに備えたことを特徴とする方法。
【請求項２８】
タスクバー上にタスクバーボタンを表示するためのシステムにおいて、
プロセッサと、
コンピュータ読み取り可能な命令を格納するメモリーと
を備え、前記命令を実行するとき、前記プロセッサが、
処理を行うアプリケーションに関係なく表示されるリッチプレゼンテーションタスクバーボタンを作成ステップであって、前記リッチプレゼンテーションタスクバーボタンに表示される内容を前記アプリケーションから受け取り、前記内容は前記アプリケーションによって作成された表示要素を含んで表示されたものであり、前記リッチプレゼンテーションタスクバーボタンは前記アプリケーションの複数の機能を制御可能である、作成するステップと、
前記アプリケーションによって作成された表示要素を含む前記リッチプレゼンテーションタスクバーボタンを表示するステップと
を含む方法を行うことを特徴とするシステム。
【請求項２９】
コンピュータ読取可能媒体において、
アプリケーションの処理に関係なくアプリケーションのためのリッチプレゼンテーションタスクバーボタンであって、前記アプリケーションの少なくとも１つの機能を制御可能な前記リッチプレゼンテーションタスクバーボタンを作成するステップと、
前記アプリケーションに関連付けられ、かつ前記アプリケーションによって作成された表示要素を含む前記リッチプレゼンテーションタスクバーボタンに表示されるべき内容を、前記アプリケーションから受け取るステップと、
前記アプリケーションによって作成された表示要素を含む前記リッチプレゼンテーションタスクバーボタンを表示するステップと、
前記リッチプレゼンテーションタスクバーボタンと関係がある前記アプリケーションに関連した前記リッチプレゼンテーションタスクバーボタンに入力されるテキストデータを受け取るステップと
を実行するための実行可能コードを備えたことを特徴とするコンピュータ読取可能媒体。
【請求項３０】
ディスプレイを備えるコンピュータシステムにおいて、アプリケーションと関連付けられたリッチプレゼンテーションタスクバーボタンを備え、前記アプリケーションが開かれたことを示すインジケータとして機能し、前記リッチプレゼンテーションタスクバーボタンは対話制御表示要素を含み、前記リッチプレゼンテーションタスクバーボタンは、処理を行うアプリケーションに関係なくタスクバー内に作成され、前記アプリケーションの制御が可能であることを特徴とするグラフィカルユーザインタフェース。
【請求項３１】
請求項３０に記載のグラフィカルユーザインタフェースにおいて、前記対話的制御用表示要素は、前記アプリケーションの動作を制御するための要素を含むことを特徴とするグラフィカルユーザインタフェース。
【請求項３２】
請求項３０に記載のグラフィカルユーザインタフェースにおいて、前記対話的制御用表示要素は、動的情報を含むことを特徴とするグラフィカルユーザインタフェース。
【請求項３３】
請求項３０に記載のグラフィカルユーザインタフェースにおいて、前記アプリケーションに対応するウィンドウが、他の表示要素によって前記ディスプレイ上で隠されていることを特徴とするグラフィカルユーザインタフェース。
【請求項３４】
請求項３０に記載のグラフィカルユーザインタフェースにおいて、前記アプリケーションはメディアプレイヤアプリケーションであり、前記対話的制御用表示要素はトランスポート制御インタフェースであることを特徴とするインタフェース。
【請求項３５】
請求項３０に記載のグラフィカルユーザインタフェースにおいて、前記アプリケーションはインスタンスメッセージングアプリケーションであり、前記対話的制御用表示要素はテキスト入力を受け取り、かつ表示することを特徴とするグラフィカルユーザインタフェース。
【請求項３６】
請求項３５に記載のグラフィカルユーザインタフェースにおいて、前記リッチプレゼンテーションタスクバーボタンは、入力されるメッセージの少なくとも一部をさらに含むことを特徴とするグラフィカルユーザインタフェース。
【請求項３７】
表示装置を備えるコンピュータシステムにおいて、
処理を行うアプリケーションに関係なく前記アプリケーションに関連するタスクバーボタンを表示するステップと、
前記アプリケーションに対応するサムネイル内容情報を受け取るステップと、
前記サムネイル内容情報に対応し、前記タスクバーボタンによって表示されるフルウインドウの小型化されたものであるサムネイルを表示するステップと、
を備えたことを特徴とするタスクバーボタンに対応するサムネイルを表示する方法。
【請求項３８】
請求項３７に記載の方法において、前記サムネイルを表示するステップは、カーソルが前記タスクバーボタン上の所定の場所にあるときに実行されることを特徴とする方法。
【請求項３９】
請求項３８に記載の方法において、前記カーソルが前記所定の場所から移動されるとき、前記表示されているサムネイルを消すステップをさらに備えたことを特徴とする方法。
【請求項４０】
請求項３８に記載の方法において、前記カーソルが前記所定の場所から移動されたとき、前記表示されているサムネイルが表示されたままとなることを特徴とする方法。
【請求項４１】
請求項３８に記載の方法において、所定の表示要素が選択された後、前記表示されているサムネイルを消すステップをさらに備えたことを特徴とする方法。
【請求項４２】
請求項３７に記載の方法において、前記サムネイルを表示するステップは、カーソルが前記タスクバーボタンの所定の場所の上でアクティブ化されたときに実行されることを特徴とする方法。